(57)【要約】任意の種類の地形及び／又は表面上で利用でき、配置される任意の種類及びサイズの釣り竿を効果的に支持して適切な角度づけ位置に保つ、広く適用可能な釣り竿支持具。釣り人は、釣り竿支持具から釣り竿を妨害されずに迅速に取り外すと、受動的な取り組みから能動的な取り組みに移ることができる。
2005538708.tif 000002
【特許請求の範囲】
【請求項１】
少なくとも１つの第１の支持部材と、
少なくとも１つの第２の支持部材であって、前記少なくとも１つの第１の支持部材及び前記少なくとも１つの第２の支持部材上に支持される釣り竿を角度づけして位置決めできるように、前記少なくとも１つの第１の支持部材よりも短い、少なくとも１つの第２の支持部材と、
を含む、釣り竿支持具。
【請求項２】
前記少なくとも１つの第１の支持部材が少なくとも１つの受け台を含む、請求項１の釣り竿支持具。
【請求項３】
前記少なくとも１つの第１の支持部材の前記少なくとも１つの受け台が、該少なくとも１つの受け台から延びる第１の脚部及び第２の脚部を含み、前記第１の脚部は前記第２の脚部よりも長く、前記少なくとも１つの第１の支持部材の前記第１の脚部及び前記第２の脚部を貫入可能な媒体内に力強く打ち込むことができる、請求項２の釣り竿支持具。
【請求項４】
前記少なくとも１つの第１の支持部材の前記第１の脚部及び前記第２の脚部の各々がほぼ垂直に形成されたループ状の延長部を有し、該延長部は、前記少なくとも１つの第１の支持部材の前記第１の脚部及び前記第２の脚部を前記貫入可能な媒体内に力強く打ち込めるように圧力を受けることができる、請求項３の釣り竿支持具。
【請求項５】
前記少なくとも１つの第２の支持部材が少なくとも１つの受け台を含む、請求項１の釣り竿支持具。
【請求項６】
前記少なくとも１つの第２の支持部材の前記少なくとも１つの受け台が、前記少なくとも１つの受け台から延びる第１の脚部及び第２の脚部を含み、第１の脚部は前記第２の脚部よりも長く、前記少なくとも１つの第２の支持部材の前記第１の脚部及び前記第２の脚部を貫入可能な媒体内に力強く打ち込むことができる、請求項５の釣り竿支持具。
【請求項７】
前記少なくとも１つの第２の支持の前記第１の脚部及び前記第２の脚部の各々がほぼ垂直に形成されたループ状の延長部を有し、該延長部は、前記少なくとも１つの第２の支持部材の前記第１の脚部及び前記第２の脚部を前記貫入可能な媒体内に力強く打ち込めるように圧力を受けることができる、請求項６の釣り竿支持具。
【請求項８】
少なくとも１つのベースを更に含み、前記少なくとも１つの第１の支持部材及び前記少なくとも１つの第２の支持部材を直立するように支持して位置決めするために前記少なくとも１つの第１の支持部材及び前記少なくとも１つの第２の支持部材を前記少なくとも１つのベース内に受け入れることができる、請求項１の釣り竿支持具。
【請求項９】
少なくとも１つの第１の脚部が少なくとも１つの第２の脚部と弾性的に連通した少なくとも１つの第１の支持部材と、
前記少なくとも１つの第１の脚部に形成された少なくとも１つの第１の延長部、及び 前記少なくとも１つの第２の脚部に形成された少なくとも１つの第２の延長部であって、前記少なくとも１つの第１の支持部材の前記少なくとも１つの第１の脚部及び前記少なくとも１つの第２の脚部を貫入可能な媒体に力強く打ち込めるように圧力を受けることのできる、少なくとも１つの第１の延長部及び少なくとも１つの第２の延長部と、
を含む、釣り竿支持具。
【請求項１０】
少なくとも１つの第１の脚部が少なくとも１つの第２の脚部と弾性的に連通した少なくとも１つの第２の支持部材を更に含み、前記少なくとも１つの第１の脚部に形成された少なくとも１つの第１の延長部、及び前記少なくとも１つの第２の脚部に形成された少なくとも１つの第２の延長部が、前記少なくとも１つの第２の支持部材の前記少なくとも１つの第１の脚部及び前記少なくとも１つの第２の脚部を貫入可能な媒体に力強く打ち込めるように圧力を受けることのできる、請求項９の釣り竿支持具。
【請求項１１】
前記少なくとも１つの第１の支持部材が前記少なくとも１つの第２の支持部材から独立している、請求項１０の釣り竿支持具。
【請求項１２】
前記少なくとも１つの第１の延長部及び前記少なくとも１つの第２の延長部に足の圧力をかけて前記少なくとも１つの第１の支持部材の前記少なくとも１つの第１の脚部及び前記少なくとも１つの第２の脚部を貫入可能な媒体に力強く打ち込むために、前記少なくとも１つの第１の支持部材の前記少なくとも１つの第１の脚部が、前記少なくとも１つの第１の支持部材の前記少なくとも１つの第２の脚部から離れるように弾性的に撓むことができる、請求項９の釣り竿支持具。
【請求項１３】
前記少なくとも１つの第１の支持部材が少なくとも１つの受け台を含む、請求項９の釣り竿支持具。
【請求項１４】
前記少なくとも１つの第１の支持部材が少なくとも１つの受け台を含み、前記少なくとも１つの第１の支持部材の前記少なくとも１つの第１の脚部及び前記少なくとも１つの第２の脚部が前記少なくとも１つの受け台から延び、前記少なくとも１つの第１の脚部は前記少なくとも１つの第２の脚部よりも長い、請求項９の釣り竿支持具。
【請求項１５】
前記少なくとも１つの第１の延長部及び前記少なくとも１つの第２の延長部に足の圧力をかけて前記少なくとも１つの第２の支持部材の前記少なくとも１つの第１の脚部及び前記少なくとも１つの第２の脚部を貫入可能な媒体に力強く打ち込むために、前記少なくとも１つの第２の支持部材の前記少なくとも１つの第１の脚部が、前記少なくとも１つの第２の支持部材の前記少なくとも１つの第２の脚部から離れるように弾性的に撓むことができる、請求項１１の釣り竿支持具。
【請求項１６】
前記少なくとも１つの第２の支持部材が少なくとも１つの受け台を含む、請求項１１の釣り竿支持具。
【請求項１７】
前記少なくとも１つの第２の支持部材が少なくとも１つの受け台を含み、前記少なくとも１つの第２の支持部材の前記少なくとも１つの第１の脚部及び前記少なくとも１つの第２の脚部が前記少なくとも１つの受け台から延び、前記少なくとも１つの第１の脚部は前記少なくとも１つの第２の脚部よりも長い、請求項１１の釣り竿支持具。
【請求項１８】
少なくとも１つのベースを更に含み、前記少なくとも１つの第１の支持部材及び前記少なくとも１つの第２の支持部材を直立するように支持して位置決めするために前記少なくとも１つの第１の支持部材及び前記少なくとも１つの第２の支持部材を前記少なくとも１つのベース内に受け入れることができる、請求項９の釣り竿支持具。
【請求項１９】
少なくとも１つの第１の支持部材と、
少なくとも１つの第２の支持部材であって、前記少なくとも１つの第１の支持部材及び前記少なくとも１つの第２の支持部材上に支持される釣り竿を角度づけして位置決めできるように、少なくとも１つの第１の支持部材よりも短い、前記少なくとも１つの第２の支持部材と、
前記少なくとも１つの第１の支持部材及び前記少なくとも１つの第２の支持部材を受け入れることのできる少なくとも１つのベースと、
を含む、釣り竿支持具。
【請求項２０】
前記少なくとも１つの第１の支持部材が少なくとも１つの受け台を含む、請求項１９の釣り竿支持具。
【請求項２１】
前記少なくとも１つの第１の支持部材の前記少なくとも１つの受け台が、該少なくとも１つの受け台から延びる第１の脚部及び第２の脚部を含み、前記第１の脚部は前記第２の脚部よりも長く、前記少なくとも１つの第１の支持部材の前記第１の脚部及び前記第２の脚部を貫入可能な媒体内に力強く打ち込むことができる、請求項２０の釣り竿支持具。
【請求項２２】
前記少なくとも１つの第１の支持部材の前記第１の脚部及び前記第２の脚部の各々がほぼ垂直に形成されたループ状の延長部を有し、該延長部は、前記少なくとも１つの第１の支持部材の前記第１の脚部及び前記第２の脚部を前記貫入可能な媒体内に力強く打ち込めるように圧力を受けることができる、請求項２１の釣り竿支持具。
【請求項２３】
前記少なくとも１つの第２の支持部材が少なくとも１つの受け台を含む、請求項１９の釣り竿支持具。
【請求項２４】
前記少なくとも１つの第２の支持部材の前記少なくとも１つの受け台が、前記少なくとも１つの受け台から延びる第１の脚部及び第２の脚部を含み、第１の脚部は前記第２の脚部よりも長く、前記少なくとも１つの第２の支持部材の前記第１の脚部及び前記第２の脚部を貫入可能な媒体内に力強く打ち込むことができる、請求項２３の釣り竿支持具。
【請求項２５】
前記少なくとも１つの第２の支持部材の前記第１の脚部及び前記第２の脚部の各々がほぼ垂直に形成されたループ状の延長部を有し、該延長部は、前記少なくとも１つの第２の支持部材の前記第１の脚部及び前記第２の脚部を前記貫入可能な媒体内に力強く打ち込めるように圧力を受けることができる、請求項２４の釣り竿支持具。
【請求項２６】
前記少なくとも１つのベースが、中断されない長さを有する第１のアームと、中間領域のほぼ上に形成されたループにより中断された長さを有する第２のアームとを含み、前記第１のアームが、前記第２のアームの前記ループにより受け入れられ、その中で旋回的に回転され、ロックされることができる、請求項１９の釣り竿支持具。
【請求項２７】
前記少なくとも１つのベースが、前記第１のアーム及び前記第２のアームの各々の端部に配置されたコイル状の受け入れユニットを更に含み、前記少なくとも１つの第１の支持部材及び前記少なくとも１つの第２の支持部材を直立するように支持して位置決めするために前記少なくとも１つの第１の支持部材の前記第１の脚部及び前記第２の脚部、ならびに前記少なくとも１つの第２の支持部材のの前記第１の脚部及び前記第２の脚部を前記コイル状の受け入れユニット内に受け入れることができる、請求項２６の釣り竿支持具。
【請求項２８】
釣り竿の支持及び角度づけ方法であって、
ａ．少なくとも１つの第１の支持部材と、
少なくとも１つの第２の支持部材であって、前記少なくとも１つの第１の支持部材及
び前記少なくとも１つの第２の支持部材上に支持される釣り竿を角度づけして位置決め
できるように、前記少なくとも１つの第１の支持部材よりも短い、少なくとも１つの第
２の支持部材と、
を含む釣り竿支持具を得るステップと、
ｂ．前記少なくとも１つの第１の支持部材の第１の脚部及び第２の脚部上にほぼ垂直に形成されたループ状の延長部に足の圧力をかけることにより、前記少なくとも１つの第１の支持部材を貫入可能な媒体内に貫入するように打ち込むステップであって、前記少なくとも１つの第１の支持部材の前記第１の脚部が前記少なくとも１つの第１の支持部材の前記第２の脚部よりも長い、ステップと、
ｃ．前記釣り竿を適切に支持できるように、前記少なくとも１つの第１の支持部材から十分な距離をおいて前記少なくとも１つの第２の支持部材を位置決めし、次いで、前記少なくとも１つの第２の支持部材の第１の脚部及び第２の脚部上にほぼ垂直に形成されたループ状の延長部に足の圧力をかけることによって前記少なくとも１つの第２の支持部材を貫入可能な媒体内に貫入するように打ち込むステップであって、前記少なくとも１つの第２の支持部材の前記第１の脚部が前記少なくとも１つの第２の支持部材の前記第２の脚部よりも長い、ステップと、
ｄ．前記少なくとも１つの第１の支持部材の少なくとも１つの受け台に前記釣り竿の一部分を配置し、前記少なくとも１つの第２の支持部材の少なくとも１つの受け台に前記釣り竿の他の部分を配置して、前記受け台の上に保持される前記釣り竿の所望の角度づけ支持を達成するステップと、
を含む、方法。
【請求項２９】
前記釣り竿支持具が少なくとも１つのベースを更に含み、前記少なくとも１つの第１の支持部材及び前記少なくとも１つの第２の支持部材を貫入不可能な媒体上で直立するように支持して位置決めするために前記少なくとも１つの第１の支持部材及び前記少なくとも１つの第２の支持部材を前記少なくとも１つのベース内に受け入れることができる、請求項２８の方法。
【請求項３０】
前記少なくとも１つのベースが、中断されない長さを有する第１のアームと、中間領域のほぼ上に形成されたループにより中断された長さを有する第２のアームとを含み、前記第１のアームが、前記第２のアームの前記ループにより受け入れられ、その中で旋回的に回転され、ロックされることができる、請求項２９の方法。
【請求項３１】
前記少なくとも１つの第１の支持部材の前記第１の脚部及び前記第２の脚部、ならびに前記少なくとも１つの第２の支持部材の前記第１の脚部及び前記第２の脚部を、前記少なくとも１つのベースの前記第１のアーム及び前記第２のアームの各々の端部に位置するコイル状の受け入れユニット内に配置するステップを更に含む、請求項３０の方法。
【発明の詳細な説明】
【技術分野】
【０００１】
本発明は概して支持具とホルダに関し、より詳細には釣り竿を支持する装置と方法に関する。本発明は、釣り竿のハンズフリーの支持や鋭く角度づけされた位置決めを可能にするのにとりわけ適しているが、これらに厳密に限定されない。
【背景技術】
【０００２】
釣りが娯楽であろうとスポーツであろうと、どの釣り人／漁師にも魚をうまく捕まえるために一定の釣り道具が必要であり、このような道具は、釣り竿とリール、タックル、誘引物／餌、及び／又はタックルボックス（釣り道具箱）を含むのが一般的である。また、魚の捕獲成功率を高めるために釣り竿を適切な角度づけ位置に保ち、そして他の作業のために両手をあけるようにロッドホルダをしばしば利用する釣り人が多い。しかし、一般に、市販のロッドホルダ/支持具の殆どには、その使用を非効率的、非実用的にし、厄介にする固有の欠点がある。
【０００３】
まず、機械加工されたロッドホルダや製造されたロッドホルダがない場合、陸上にいる釣師の多くは、両手をあけるために間に合わせのロッドホルダの利用を強いられるのが一般的である。このようなロッドホルダは、湿った地面に差し込まれたフォーク形の小枝から原始的な釣り竿ホルダを形成していたり、釣り竿を受けるように丸太に切り込みを形成していることが多い。しかし、このようなオプションには明らかな欠点がある。湿った土壌に固定されたフォーク形の小枝は、明らかに不安定であったり、弱すぎて従来の釣り竿を効果的に支持できなかったりする。切り込みを入れた丸太は、切り込みが浅すぎて配置される竿（ロッド）を完全に支持できない場合がある。更に、このようなオプションは、魚の捕獲に必要である適切な角度づけ位置を提供する可能性が低い。しかし、あいにく、機械加工されたロッドホルダや製造されたロッドホルダがなく、間に合わせの支柱もない場合、陸上にいる釣師には、他の作業をしようと両手を少しの間あけるために竿を地面に置かなければならない、というオプションしか残されていない。よって、望ましくないことに、釣り竿とこれに関連するリールでは、釣り竿の歯車機構や他の作動要素に埃／砂が入りこんでしまう。また、効果的なロッドホルダがない場合、釣り人は、魚が捕らえられるまで釣り竿の適切な角度づけ位置を保つことを強いられる。よって、不必要な身体のストレス、緊張及び／又は疲れが釣り人に生じる。
【０００４】
様々な陸上用釣り竿ホルダが市販されているにもかかわらず、これらの全てに、使用を不都合にする限界がある。たとえば、クランプ機構を備える一時的に取付可能なロッドホルダは、適切な取付のためにドック又は埠頭（即ち、レールなど）のような特定の取付面を必要とするため、一般に用途が限られている。しかし、このようなドックや埠頭のような場所は、最適の釣り条件を備えていない場合がある。また、このような一時的に取付可能なロッドホルダの殆どにおいて釣り竿の固定が必要になるため、竿の迅速な取り外しは難しくなる。
【０００５】
アイスボックスやタックルボックスに取り付ける釣り竿台も不便である。なぜなら、アイスボックスやタックルボックスは、上にロッドを適切に支持して取り付けるよう十分大きく、十分頑丈でなければならないからである。このような釣り竿台の殆どでは、全てのサイズの竿を受け入れられるわけではなく、更に、竿の迅速な取り外しを極めて難しくする態様で釣り竿をホルスターに入れることが必要となる。
【０００６】
独立型の釣り竿ホルダも市販されているが、平面上のみの用途に合わせて設計され、この用途に限られているため、土手での釣りに使用すると非実用的になる。また、このような独立型のロッドホルダは固定機構をもたないため、特にドックや埠頭で使用するにはあまりにも不安定であり、これらの場所ではホルダがひっくり返ったり引きずられてしまう可能性がある。市販されている独立型ホルダの殆ども、様々な種類やサイズの釣り竿を保持／支持する能力が限られており、更に、竿の取り外しを厄介で時間がかかるようにする態様でホルスターに入れることが必要となる。
【０００７】
効果的な地面取付用釣り竿ホルダの設計が試みられたにもかかわらず、このような市販の地面取付用ホルダの殆どには、使用を望ましくない非実用的なものにする明らかな欠点がある。具体的には、市販の地面取付用ホルダの殆どでは、ホルダが手の圧力によって地中に押し込まれることが必要となる。これは、硬かったり岩の多い地形では、不可能ではないが困難であることが多い作業である。更に、このような地面取付ユニットは土/地面への貫入のためだけに設計されるため、ドックや埠頭などの固体面に利用することができない。また、他のロッドホルダのように、市販の地面取付用ホルダの殆どでは支持可能な竿の種類とサイズが限られており、ホルダからの竿の迅速な取り外しを難しい作業にするような態様で竿をホルダ内に配置することがしばしば必要になる。
【０００８】
また、現行のロッドホルダは、全てではないにしてもその殆どが、運搬するにはあまりにも大きく、扱いにくいようである。
【０００９】
従って、任意の種類の地形及び／又は表面上で利用でき、配置される任意の種類及びサイズの釣り竿を効果的に支持して適切な角度づけ位置に保つ、広く適用可能な釣り竿支持具が必要であることは、容易に明らかである。釣り人は、釣り竿支持具から釣り竿を妨害されずに迅速に取り外すと、受動的な取り組みから能動的な取り組みに移ることができ、釣り竿支持具は釣り竿と共に１つの位置から別の位置へ容易に運搬される。
【発明の開示】
【発明が解決しようとする課題】
【００１０】
簡潔に述べると、本発明は、好適な実施例において、配置される任意の種類及びサイズの釣り竿を効果的に支持して適切に角度づけすることができ、迅速に取り外すことができるハンズフリーの釣り竿支持装置を提供することにより、前述の欠点を克服し、認識されたこのような装置の要求を満たす。釣り竿支持具は、あらゆる種類の地形及び／又は表面に利用することができ、よって、陸上にいる漁師は、最適の釣り条件や所望の釣り条件を提供する任意の陸上の場所を選択することができる。
【課題を解決するための手段】
【００１１】
主な態様に従って、広義に述べると、本発明は、好適な形態において、釣り竿支持装置及び釣り竿支持方法である。この装置は、第１の竿支持部材、第２の竿支持部材、及びベース部材を有することが好ましい。
【００１２】
より具体的には、本発明は釣り竿支持装置及び釣り竿支持方法である。この装置は第１及び第２の竿支持部材を有することが好ましく、各部材はＵ字形の受け台を有し、２つの脚部がそこから延びることが好ましい。第２の竿支持部材は、支持される釣り竿を角度づけできるように、第１の竿支持部材よりも高さが低いことが好ましい。第１及び第２の竿支持部材の各脚部は、各脚部を地中や土の中に貫入させて打ち込むように、足の圧力をかけるための足用ブラケットを有することが好ましい。固体面（即ち、ドックや埠頭など）の上で竿支持部材を用いるために、Ｘ形のベース部材が、第１及び第２の竿支持部材を支持しながらベース部材内に配置するように利用されることが好ましい。
【００１３】
本発明の特徴及び利点は、任意の地面/地形、及び／又は任意の固体面の殆どにおいて利用される能力である。
【００１４】
本発明の特徴及び利点は、任意のサイズの釣り竿を受け入れる能力である。
【００１５】
本発明の特徴及び利点は、配置される釣り竿を迅速に取り外しできる能力であり、これにより、釣り人/漁師は受動的な取り組みから能動的な取り組みへすぐに移ることができる。
【００１６】
本発明の特徴及び利点は、魚が捕まるのを待つ間他の作業に専念できるように使用者の両手を自由にする能力である。
【００１７】
本発明の特徴及び利点はその可搬性である。
【００１８】
本発明の特徴及び利点はその設計の簡潔さである。
【００１９】
本発明の特徴及び利点はその収納の容易さである。
【００２０】
本発明の特徴及び利点はその製造の容易さである。
【００２１】
本発明の特徴及び利点はその耐久性である。
【００２２】
本発明の特徴及び利点はその安定性である。
【００２３】
本発明の特徴及び利点はその軽さである。
【００２４】
本発明の特徴及び利点は、工具を用いずに実施される能力である。
【００２５】
本発明の特徴及び利点は、メンテナンスフリーで機能する能力である。
【００２６】
本発明のこれらの目的、特徴及び利点、そして他の目的、特徴及び利点は、添付の図面を考慮して以下の説明及び請求の範囲を読むうちに、当業者にとってより明らかになる。
【００２７】
同様の参照番号が一貫して同様の構造を示し、同様の要素を指す添付の図面に関連して好適な実施の形態及び他の実施の形態の詳細な説明を読むことにより、本発明は更に良く理解される。
【発明を実施するための最良の形態】
【００２８】
図１乃至図１１に示すような本発明の好適な実施の形態及び他の実施の形態を説明するにあたり、明確化のために特定の用語が用いられる。しかし、本発明はそのように選択された特定の用語に限定されることを意図するものではなく、各々の特定の要素が、同様の機能を成し遂げるために同様の方法で機能する技術的な同等物を全て含むことを理解されたい。
【００２９】
ここで図１を参照すると、本発明は好適な実施の形態において装置１０であり、装置１０は、第１の竿支持部材２０、第２の竿支持部材４０及びベース部材６０を有する釣り竿支持具である。好ましくは、より十分に後述するように、第１の竿支持部材２０及び第２の竿支持部材４０を個々に使用したり、ベース部材６０と共に使用したり、ベース部材６０なしで使用したりすることができる。
【００３０】
ここで図２乃至図３Ａを参照すると、第１の竿支持部材２０は単一の金属棒２２から形成されることが好ましく、棒２２は第１の竿支持部材２０の独特の機能的な形状を形成するように公知の金属屈曲方法によって処理されることが好ましい。具体的には、棒２２はＵ字形の受け台(cradle)２４を有し、第１の脚部２６及び第２の脚部２８が受け台からほぼ下方に延びることが好ましい。Ｕ字形の受け台２４は、図２に最も良く示されるように、第１の脚部２６及び第２の脚部２８にほぼ平行であることが好ましい。受け台２４は、例えば、単なる例示の目的で、矩形の樋形など、他のいかなる適切な形状を有してもよいことが他の実施の形態において熟慮される。Ｕ字形の受け台２４は、配置される釣り竿の任意のサイズ及び／又は形状を受けるように寸法決めされることが好ましい。第１の竿支持部材２０はＵ字形の受け台２４を有することが好ましいが、第１の竿支持部材２０は、複数の釣り竿を角度をつけて位置決めし、配置するために任意の数の受け台を有してもよいことが他の実施の形態において熟慮される。第１の竿支持アセンブリ２０は、第１の竿支持部材２０が地面に配置される際に第１の竿支持部材２０の安定性及び／又は剛性を増加させるように、Ｕ字形の受け台２４から延びる任意の数の脚部を有してもよいことが他の実施の形態において更に熟慮される。また、一般的には金属が棒２２及び第１の竿支持部材２０の好適な材料であるが、例えば、単なる例示の目的で、耐久性があるが弾性もあるプラスチックなど、棒２２を他のいかなる適切な材料から形成してもよいことが他の実施の形態において熟慮される。
【００３１】
第１の竿支持部材２０の棒２２の第２の脚部２８は、より十分に後述するように、第１の竿支持部材２０の地面への配置を容易にするために棒２２の第１の脚部２６よりもわずかに長いことが好ましい。第１の脚部２６の端部２６Ａ及び第２の脚部２８の端部２８Ａは、第１の脚部２６及び第２の脚部２８による地中/土への貫入を容易にするように尖っていることが好ましい。第１の脚部２６の端部２６Ａ及び第２の脚部２８の端部２８Ａはそれぞれ尖っていることが好ましいが、第１の竿支持部材２０の第１の脚部２６及び第２の脚部２８の地中/土への貫入及び地中／土の中における保持を容易にするために、端部２６Ａ及び２８Ａを丸くしてもよいし、平らにしてもよいし、上に向かって延びる鉤の形状にしてもよいし、鋸歯状にしてもよいことが他の実施の形態において熟慮される。
【００３２】
足支持ループ３０が第１の脚部２６の中間領域の下に形成されることが好ましい。足支持ループ３０は、公知の金属屈曲方法によって第１の脚部２６に形成されることが好ましい。足支持ループ３０は、第１の脚部２６を地中に貫入させて打ち込むための足の圧力を受けるように機能することが好ましい。図３Ａに最も良く示されるように、足支持ループ３０は、全体的な強度及び耐久性のために、また、足の圧力がかけられた際その圧力に耐えるために、第１の脚部２６に点溶接されていることが好ましい。第１の脚部２６は足支持ループ３０のみを有することが好ましいが、第１の脚部２６を地中/土に貫入させて打ち込むのを更に容易にするために、第１の脚部２６は、追加の足支持ループを有したり、足支持ループ３０の反対側に形成され、配置される追加の足支持ループを有してもよいことが他の実施の形態において熟慮される。
【００３３】
同様に、足支持ループ３２が第２の脚部２８の中間領域の下に形成されることが好ましい。足支持ループ３２は、公知の金属屈曲方法によって第２の脚部２８に形成されることが好ましい。足支持ループ３２も、第２の脚部２８を地中に貫入させて打ち込むための足の圧力を受けるように機能することが好ましい。図３Ａに最も良く示されるように、足支持ループ３２は、全体的な強度及び耐久性のために、また、足の圧力がかけられた際その圧力に耐えるために、第２の脚部２８に点溶接されていることが好ましい。第２の脚部２８は足支持ループ３２のみを有することが好ましいが、第２の脚部２８を地中/土に貫入させて打ち込むのを更に容易にするために、第２の脚部２８は、追加の足支持ループを有したり、足支持ループ３２の反対側に形成され、配置される追加の足支持ループを有してもよいことが他の実施の形態において熟慮される。
【００３４】
ここで図４乃至図５Ａを参照すると、第２の竿支持部材４０は単一の金属棒４２から形成されることが好ましく、棒４２は第２の竿支持部材４０の独特の機能的な形状を形成するように公知の金属屈曲方法によって処理されることが好ましい。具体的には、棒４２はＵ字形の受け台４４を有し、第１の脚部４６及び第２の脚部４８は受け台からほぼ下方に延びることが好ましい。Ｕ字形の受け台４４は、図４に最も良く示されるように、第１の脚部４６及び第２の脚部４８にほぼ平行であることが好ましい。受け台４４は、例えば、単なる例示の目的で、矩形の樋形など、他のいかなる適切な形状を有してもよいことが他の実施の形態において熟慮される。Ｕ字形の受け台４４は、配置される釣り竿の任意のサイズ及び／又は形状を受けるように寸法決めされることが好ましい。第２の竿支持部材４０はＵ字形の受け台４４を有することが好ましいが、第２の竿支持部材４０は、複数の釣り竿を角度をつけて位置決めし、配置するために任意の数の受け台を有してもよいことが他の実施の形態において熟慮される。第２の竿支持アセンブリ４０は、第２の竿支持部材４０が地面に配置される際に第２の竿支持部材４０の安定性及び／又は剛性を増加させるように、Ｕ字形の受け台４４から延びる任意の数の脚部を有してもよいことが他の実施の形態において更に熟慮される。また、一般的には金属が棒４２及び第２の竿支持部材４０の好適な材料であるが、例えば、単なる例示の目的で、耐久性があるが弾性もあるプラスチックなど、棒４２を他のいかなる適切な材料からも形成してもよいことが他の実施の形態において熟慮される。
【００３５】
第２の竿支持部材４０の棒４２の第２の脚部４８は、より十分に後述するように、第２の竿支持部材４０の地面への配置を容易にするために棒４２の第１の脚部４６よりもわずかに長いことが好ましい。第１の脚部４６の端部４６Ａ及び第２の脚部４８の端部４８Ａは、第１の脚部４６及び第２の脚部４８による地中/土への貫通を容易にするように尖っていることが好ましい。第１の脚部４６の端部４６Ａ及び第２の脚部４８の端部４８Ａはそれぞれ尖っていることが好ましいが、第２の竿支持部材４０の第１の脚部４６及び第２の脚部４８の地中/土への貫入及び地中／土の中における保持を容易にするために、端部４６Ａ及び４８Ａを丸くしてもよいし、平らにしてもよいし、上に向かって延びる鉤の形状にしてもよいし、鋸歯状にしてもよいことが他の実施の形態において熟慮される。
【００３６】
足支持ループ５０が第１の脚部４６の中間領域の下に形成されることが好ましい。足支持ループ５０は、公知の金属屈曲方法によって第１の脚部４６に形成されることが好ましい。足支持ループ５０は、第１の脚部４６を地中に貫入させて打ち込むための足の圧力を受けるように機能することが好ましい。図１に最も良く示されるように、足支持ループ５０は、全体的な強度及び耐久性のために、また、足の圧力がかけられた際その圧力に耐えるために、第１の脚部４６に点溶接されていることが好ましい。第１の脚部４６は足支持ループ５０のみを有することが好ましいが、第１の脚部４６を地中/土に貫入させて打ち込むのを更に容易にするために、第１の脚部４６は、追加の足支持ループを有したり、足支持ループ５０の反対側に形成され、配置される追加の足支持ループを有してもよいことが他の実施の形態において熟慮される。
【００３７】
同様に、足支持ループ５２が第２の脚部４８の中間領域の下に形成されることが好ましい。足支持ループ５２は、公知の金属屈曲方法によって第２の脚部４８に形成されることが好ましい。足支持ループ５２も、第２の脚部４８を地中に貫入させて打ち込むための足の圧力を受けるように機能することが好ましい。図１に最も良く示されるように、足支持ループ５２は、全体的な強度及び耐久性のために、また、足の圧力がかけられた際その圧力に耐えるために、第２の脚部４８に点溶接されていることが好ましい。第２の脚部４８は足支持ループ５２のみを有することが好ましいが、第２の脚部４８を地中/土に貫入させて打ち込むのを更に容易にするために、第２の脚部４８は、追加の足支持ループを有したり、足支持ループ５２の反対側に形成され、配置される追加の足支持ループを有してもよいことが他の実施の形態において熟慮される。
【００３８】
第２の竿支持部材４０は、第１の竿支持部材２０とほぼ同じであることが好ましいが、第１の竿支持部材２０よりも長さが短いことが好ましい。これにより、図５Ｂに最も良く示されるように、第１の竿支持部材２０の受け台２４及び第２の竿支持部材４０の受け台４４内にそれぞれ配置される釣り竿ＡＡの適切な/所望の鋭い角度づけが容易になる。
【００３９】
ここで図５Ｂを更に詳しく参照すると、使用の際、まず、第１の脚部２６の端部２６Ａが地面に軽く接触／当接するまで、第１の竿支持部材２０の第２の脚部２８の端部２８Ａを最小の手の圧力によって地面に打ち込むことが好ましい。この後、第１の脚部２６と第２の脚部２８との間、そして足支持ループ３０及び３２の上に使用者の足を入れるのに十分な距離だけ、第１の脚部２６を第２の脚部２８からわずかに引き離すことが好ましい。次いで、使用者は足支持ループ３０及び３２に足の圧力をかけ、第１の脚部２６及び第２の脚部２８を地中へ所望の深さまで力強く打ち込む。同様に、第２の竿支持部材４０が、第１の竿支持部材２０から所望の距離でこれと平行に配置され、まず、第１の脚部４６の端部４６Ａが地面に軽く接触／当接するまで、第２の竿支持部材４０の第２の脚部４８の端部４８Ａを最小の手の圧力によって地面に打ち込むことが好ましい。この後、第１の脚部４６と第２の脚部４８との間、そして足支持ループ５０及び５２の上に使用者の足を入れるのに十分な距離だけ、第１の脚部４６を第２の脚部４８からわずかに引き離すことが好ましい。次いで、使用者は足支持ループ５０及び５２に足の圧力をかけ、第１の脚部４６及び第２の脚部４８を地中へ所望の深さまで力強く打ち込む。この後、第１の竿支持部材２０の受け台２４及び第２の竿支持部材４０の受け台４４内に釣り竿ＡＡを配置し、よって釣り竿ＡＡを適切な／所望の角度づけ位置に定めることが好ましい。図１１に最も良く示されるように、２本の釣り竿ＡＡ及びＢＢを支持しながら角度づけるために第１の竿支持部材２０及び／又は第２の竿支持部材４０をそれぞれ個々に用いてもよいことが他の実施の形態において熟慮される。
【００４０】
第１の竿支持部材２０を地面から取り外すと、第１の脚部２６及び第２の脚部２８が共に弾性によってはねもどり、足ループ３０及び３２が互いに重なり、よって、図３に最も良く示されるように、折り畳まれた、及び／又はコンパクトな第１の竿支持部材２０を生じることが好ましい。同様に、第２の竿支持部材４０を地面から取り外すと、第１の脚部４６及び第２の脚部４８が共に弾性によってはねもどり、足ループ５０及び５２が互いに重なり、よって、図５に最も良く示されるように、折り畳まれた、及び／又はコンパクトな第２の竿支持部材４０を生じることが好ましい。
【００４１】
ここで図６乃至図７Ａを参照すると、第１の竿支持部材２０及び第２の竿支持部材４０の使用者がドックや埠頭などの固体面上で第１の竿支持部材２０及び第２の竿支持部材４０の利用を望む場合、ベース部材６０がこれらと共に利用されることが好ましい。
【００４２】
具体的には、ベース部材６０は第１のアーム６２及び第２のアーム６４を有する。第１のアーム６２は、ほぼ連続した不断の柱状であることが好ましい。第２のアーム６４も柱状であるが、中心をわずかに外れて形成されたループ６５を有することが好ましい。ループ６５は、間隙６５Ａを有するオープンループであることが好ましい。図７及び７Ａに最も良く示されるように、間隙６５Ａは、第１のアーム６２がピボットロック接続されるように、第１のアーム６２の間隙６５Ａへの差込を許容することが好ましい。第１のアーム６２及び第２のアーム６４は金属から形成されることが好ましいが、例えば、単なる例示の目的で、耐久性のあるプラスチック及び／又は木材など、他の適切な材料を用いてもよい。
【００４３】
Ｌ字形のコイル７６及び７８が、第１のアーム６２の端部６２Ａ及び６２Ｂとそれぞれ連通していることが好ましい。コイル７６は、第１のコイル部分７６Ａ及び第２のコイル部分７６Ｂを有することが好ましい。図６Ａに最も良く示されるように、第１のコイル部分７６Ａは、第１のアーム６２の端部６２Ａと接触しており、第１のアーム６２の打押（スタンプ）領域６３Ａ及び６３Ｂによって固定されることが好ましい。第２のコイル部分７６Ｂは、第１のコイル部分７６Ａと連通していることが好ましく、第１のアーム６２に対して垂直であることが好ましい。第２のコイル部分７６Ｂは、より十分に後述するように、第２の竿支持部材４０の第１の脚部４６の端部４６Ａを受け入れる凹部７６Ｃを有することが好ましい。同様に、コイル７８は第１のコイル部分７８Ａ及び第２のコイル部分７８Ｂを有することが好ましく、第１のコイル部分７８Ａは、第１のアーム６２の端部６２Ｂと接触しており、第１のアーム６２の打押（スタンプ）領域６３Ｃ及び６３Ｄによって固定されることが好ましい。第２のコイル部分７８Ｂは、第１のコイル部分７８Ａと連通していることが好ましく、第１のアーム６２に対して垂直であることが好ましい。第２のコイル部分７８Ｂは、より十分に後述するように、第１の竿支持部材２０の第２の脚部２８の端部２８Ａを受け入れる凹部７８Ｃを有することが好ましい。第１のコイル部分及び７６Ａ及び７８Ａはそれぞれ、そこから延びるＵ字形の延長部７６Ｄ及び７８Ｄを有することが好ましい。延長部７６Ｄ及び７８Ｄは、第１のアーム６２が第２のアーム６４の上に配置され、かつ第２のアーム６４のループ６５を貫通して配置されている際の第１のアーム６２固有の高い位置により、ベース部材６０を安定させるように機能することが好ましい。
【００４４】
Ｌ字形のコイル８０及び８２が、第２のアーム６４の端部６４Ａ及び６４Ｂとそれぞれ連通していることが好ましい。コイル８０は、第１のコイル部分８０Ａ及び第２のコイル部分８０Ｂを有することが好ましい。第１のコイル部分８０Ａは、第２のアーム６４の端部６４Ａと接触しており、第２のアーム６４の打押（スタンプ）領域６６Ａ及び６６Ｂによって固定されることが好ましい。第２のコイル部分８０Ｂは、第１のコイル部分８０Ａと連通していることが好ましく、第２のアーム６４に対して垂直であることが好ましい。第２のコイル部分８０Ｂは、より十分に後述するように、第２の竿支持部材４０の第２の脚部４８の端部４８Ａを受け入れる凹部８０Ｃを有することが好ましい。同様に、コイル８２は第１のコイル部分８２Ａ及び第２のコイル部分８２Ｂを有することが好ましく、第１のコイル部分８２Ａは、第２のアーム６４の端部６４Ｂと接触しており、第２のアーム６４の打押（スタンプ）領域６６Ｃ及び６６Ｄによって固定されることが好ましい。第２のコイル部分８２Ｂは、第１のコイル部分８２Ａと連通していることが好ましく、第２のアーム６４に対して垂直であることが好ましい。第２のコイル部分８２Ｂは、より十分に後述するように、第１の竿支持部材２０の第１の脚部２６の端部２６Ａを受け入れる凹部８２Ｃを有することが好ましい。
【００４５】
第２の竿支持部材４０が第１の竿支持部材２０よりも低く短いため、第２の竿支持部材４０の第１の脚部４６と第２の脚部４８との間の分離可能距離も、第１の竿支持部材２０の第１の脚部２６と第２の脚部２８との間の分離の距離よりも小さい。よって、ベース部材６０の第２のアーム６４のループ６５は、第１の竿支持部材２０及び第２の竿支持部材４０の異なる分離の距離を許容するように、第２のアーム６４の中心から外れて位置決めされる／形成されることが好ましい。
【００４６】
ここで図７Ａ乃至図９を更に詳しく参照すると、ベース部材６０の第１のアーム６２の中間領域は、ベースアセンブリ６０の第２のアーム６４のループ６５の間隙６５Ａを通すことが好ましい。この後、第１のアーム６２は、ループ６５内で更なる旋回（ピボット）運動が妨げられるまでループ６５でピボットされ、よって第１のアーム６２の中間領域をループ６５に対してロックすることが好ましい。このような構成において、コイル７６、７８、８０及び８２の第２のコイル部分７６Ｂ、７８Ｂ、８０Ｂ及び８２Ｂはそれぞれほぼ上向きに配置されており、好ましくは装置１０が配置されている地面/表面に対して垂直である。図８に最も良く示されるように、第１の竿支持部材２０の第１の脚部２６の端部２６Ａ及び第２の脚部２８の端部２８Ａはそれぞれ、ベース部材６０のコイル８２の凹部８２Ｃ及びコイル７８の凹部７８Ｃ内にしっかりと受け入れられることが好ましい。同様に、図８に最も良く示されるように、第２の竿支持部材４０の第１の脚部４６の端部４６Ａ及び第２の脚部４８の端部４８Ａはそれぞれ、ベース部材６０のコイル７６の凹部７６Ｃ及びコイル８０の凹部８０Ｃ内にしっかりと受け入れる。この後、図８及び９に最も良く示されるように、釣り竿ＡＡは、部材の適切な／所望の角度づけを許容するように第１の竿支持部材２０の受け台２４及び第２の竿支持部材４０の受け台４４内に配置されることが好ましい。
【００４７】
ここで図１０を参照すると、組立/分解構成において、装置１０は筒状のキャリングケース１００に容易に収納され、運搬されることが好ましい。キャリングケース１００は、分解後/組立前の装置１０をケース１００に入れるための開口部１０２を有することが好ましく、フラップ１０２が開口部１０２を覆うことが好ましい。ケース１００は、釣り竿を結んで固定するためのひも１０４を有することが更に好ましい。また、ケース１００は、ケース１００、収納された装置１０及び釣り竿を１つの位置から他の位置に都合よく運ぶために形成された取っ手１０８も有することが好ましい。
【００４８】
第１の竿支持部材２０、第２の竿支持部材４０、ベース部材６０及び装置１０は一般に、あらゆる使用者に適応させるために任意のサイズに製造できることが他の実施の形態において熟慮される。
【００４９】
第１の竿支持部材２０、第２の竿支持部材４０、ベース部材６０及び装置１０は一般に、全体の高さ及び／又は長さを調節するために高さ及び／又は長さ調節機構を有してもよいことが他の実施の形態において熟慮される。高さ及び／又は長さ調節機構は、例えば、単なる例示の目的で、ノッチ・ボール機構及び／又は入れ子式（テレスコーピング）機構など、当該技術において知られる任意の好適な高さ及び／又は長さ調節機構とすることができる。
【００５０】
第１の竿支持部材２０、第２の竿支持部材４０、ベース部材６０及び／又は装置１０は一般に、任意の所望の表面への常設的な取付を許容するために取付ブラケットを備えていてもよいことが他の実施の形態において熟慮される。
【００５１】
ベース部材６０は、複数の竿支持部材を受け入れるように任意の数の受け入れユニットを有してもよいことが更に他の実施の形態において熟慮される。
【００５２】
任意の種類、サイズ及び／又は形の複数の釣り竿を装置上で支持できるように装置１０を変更／改変できることが更に他の実施の形態において熟慮される。
【００５３】
第１の竿支持部材２０及び第２の竿支持部材４０はそれぞれ、複数の釣り竿を受け入れるために任意の数の受け台２４及び４４を有してもよいことが更に他の実施の形態において熟慮される。
【００５４】
第１の竿支持部材２０、第２の竿支持部材４０及びベース部材６０を共に一体形成してもよいことが更に他の実施の形態において熟慮される。
【００５５】
第１の竿支持部材２０、第２の竿支持部材４０、ベース部材６０及び／又は装置１０は一般に、水上の環境で利用できるように浮揚デバイスを有してもよく、浮揚デバイスが浮動して流れ去ってしまうのを防ぐために固定機構を浮揚デバイスに関連させてもよいことが他の実施の形態において熟慮される。
【００５６】
本発明の例示的な実施の形態をこのように説明したが、これらの開示内容は単に例示的なものであり、様々な他の代替物、適応物及び変更物を本発明の範囲内で形成してもよいことが当業者によって注意されるべきである。従って、本発明は本明細書中に説明した特定の実施の形態に制限されず、下記の請求の範囲によってのみ制限されるものである。
【図面の簡単な説明】
【００５７】
【図１】本発明の好適な実施の形態による釣り竿支持装置の分解図である。
【図２】本発明の好適な実施の形態による釣り竿支持装置の第１の竿支持部材の側面図である。
【図３】本発明の好適な実施の形態による釣り竿支持装置の第１の竿支持部材の正面図である。
【図３Ａ】本発明の好適な実施の形態による釣り竿支持装置の第１の竿支持部材の正面図である。
【図４】本発明の好適な実施の形態による釣り竿支持装置の第２の竿支持部材の側面図である。
【図５】本発明の好適な実施の形態による釣り竿支持装置の第２の竿支持部材の正面図である。
【図５Ａ】本発明の好適な実施の形態による釣り竿支持装置の第２の竿支持部材の正面図である。
【図５Ｂ】本発明の好適な実施の形態による釣り竿支持装置の第１及び第２の竿支持部材の斜視図であり、使用中のデバイスを示している。
【図６】本発明の好適な実施の形態による釣り竿支持装置の分解されたベース部材の側面図である。
【図６Ａ】本発明の好適な実施の形態による釣り竿支持装置のベース部材の第１のアームの部分側面図である。
【図７】本発明の好適な実施の形態による釣り竿支持装置の組み立てられたベース部材の平面図である。
【図７Ａ】本発明の好適な実施の形態による釣り竿支持装置の組み立てられたベース部材の部分側面図である。
【図８】本発明の好適な実施の形態による釣り竿支持装置の斜視図である。
【図９】本発明の好適な実施の形態による釣り竿支持装置の斜視図であり、使用中の装置を示している。
【図１０】本発明の好適な実施の形態による釣り竿支持装置用のキャリングケースの側面図である。
【図１１】本発明の好適な実施の形態による釣り竿支持装置の第１及び第２の竿支持部材の斜視図であり、他の実施の形態において利用されているデバイスを示している。
【図１】
2005538708.tif 000003
【図２】
2005538708.tif 000004
【図３】
2005538708.tif 000005
2005538708.tif 000006
【図４】
2005538708.tif 000007
【図５】
2005538708.tif 000008
2005538708.tif 000009
2005538708.tif 000010
【図６】
2005538708.tif 000011
2005538708.tif 000012
【図７】
2005538708.tif 000013
2005538708.tif 000014
【図８】
2005538708.tif 000015
【図９】
2005538708.tif 000016
【図１０】
2005538708.tif 000017
【図１１】
2005538708.tif 000018
【国際調査報告】
2005538708.tif 000019